(57)【要約】【課題】送受信用アンテナコイルを電池に近接配置しても、送信性能の劣化を防止できると共に、薄型化・小型化された携帯無線機を提供する。【解決手段】外部機器と近接させてデータ通信を行うための送受信用アンテナコイル３１を有する携帯無線機であって、送受信用アンテナコイル３１と電気的に接続されてデータ通信を行う通信部と、上記通信部を内蔵する筐体と、上記筐体に取り付けられて磁性体の特性を有する電池ケース２２と電池ケース２２に収納される発電要素２１とからなる電池２０とを備え、送受信用アンテナコイル３１は電池ケース２２の上に載置されている。【選択図】図１
2005130211.tif 000002
【特許請求の範囲】
【請求項１】
外部機器と近接させてデータ通信を行う送受信用アンテナコイルを有する携帯無線機であって、
上記送受信用アンテナコイルと電気的に接続されてデータ通信を行う通信部と、
上記通信部を内蔵する筐体と、
上記筐体に取り付けられ、磁性体の特性を有する電池ケースと上記電池ケースに収納される発電要素からなる電池を備え、
上記送受信用アンテナコイルが上記電池ケース上に載置されていることを特徴とする携帯無線機。
【請求項２】
上記送受信用アンテナコイルは、上記電池ケースの表面に金属メッキにより形成されていることを特徴とする請求項１記載の携帯無線機。
【請求項３】
外部機器と近接させてデータ通信を行う通信部を有する携帯無線機に取り付けられる電池であって、
発電要素と、上記発電要素を収納し磁性体の特性を有する電池ケースと、上記電池ケース上に金属メッキにより形成された送受信用アンテナコイルを備え、
当該電池が携帯無線機に取り付けられると、上記送受信用アンテナコイルが上記通信部に電気的に接続されることを特徴とする電池。
【発明の詳細な説明】
【技術分野】
【０００１】
この発明は、アンテナ機能を有する非接触型ＩＣカード機能を備えた携帯無線機およびこの携帯無線機に用いられる電池に関する。
【背景技術】
【０００２】
従来から電磁結合によりＩＣカードと外部読取装置との間で電力およびデータの送受信を行う非接触型ＩＣカードシステムが提案されている。
この非接触型ＩＣカードシステムに用いられるＩＣカードは、ＣＰＵやメモリ等のＩＣチップが搭載されるプリント基板の表面にアンテナとして機能する送受信用コイルが形成されている。
この送受信用コイル（以下、送受信用アンテナコイルと称す）に導体金属等が近接あるいは接触したりすると、導体金属上に渦電流が生じることが知られている。
導体金属上に生じた渦電流は、非接触型ＩＣカードと外部読取装置との間の電磁結合強度を弱めるため、非接触型ＩＣカードと外部読取装置間の送受信エラーを発生させる。
【０００３】
そのため、従来の非接触型ＩＣカードでは、例えば、特許文献１に示されているように、ＩＣチップあるいは送受信用アンテナコイルなどが実装されているプリント基板の裏面側（即ち、外部読取装置側の面）に、アモルファスなどのように透磁率および抵抗率の高い磁性体を接着または蒸着することが提案されている。
【特許文献１】特開平８−１６７４５号公報（図１、段落０００９）
【発明の開示】
【発明が解決しようとする課題】
【０００４】
ところで、非接触型ＩＣカード機能を有した携帯無線機では、携帯無線機本体に電力を供給する電池（例えば、二次電池）の近傍に送受信用アンテナコイルを実装配置せざるを得ないケースがある。
特に、最近主流となっている２つ折りタイプの携帯無線機では、上側筐体の内側にはメイン表示部があり、上側筐体の外側にはサブ表示部があるので、送受信用アンテナコイルが形成されたプリント基板を上側筐体の内側あるいは外側に配置するのは困難である。
【０００５】
また、下側筐体の内側にはキー（操作用の押ボタン）があるので、やはり送受信用アンテナコイルを配置するのは困難である。
一方、下側筐体の外側には電池が配置されているが、表示部やキーなどの筐体表面に配置する必要のあるものがないため、下側筐体の外側は送受信用アンテナコイルの配置に最も適している。
そのため、２つ折りタイプの携帯無線機では、電池の近傍に送受信用アンテナコイルを配置せざるを得ない。
【０００６】
電池の発電要素（電池コアとも称す）は金属体（導体金属）であるため、送受信用アンテナコイルは金属体の近傍に配置されることになる。
前述したように、金属体の発電要素（電池コア）を含む電池の近傍に送受信用アンテナコイルが配置されると、金属体上に渦電流が生じて、送受信用アンテナコイルと外部読取装置との間の電磁結合強度が弱まり、外部読取装置との間の送受信エラーが発生する。
【０００７】
そのため、従来の非接触型ＩＣカードでは、ＩＣチップあるいは送受信用アンテナコイルなどが実装されているプリント基板の裏面側に、透磁率および抵抗率の高い別部材の磁性体を接着したり、蒸着によって透磁率および抵抗率の高い磁性体層を形成していたが、部品数あるいは作業工程が増加するため、製造コストが高くなるという問題点があった。
また、別部材の磁性体を接着したり、磁性体層を形成するので、薄型化・小型化が図れないとい問題点もあった。
【０００８】
この発明は、このような課題を解決するためになされたものであり、携帯無線機の送受信用アンテナコイルを電池に近接配置しても、渦電流の発生に起因する送信性能の劣化を防止できると共に、薄型化・小型化が図れる携帯無線機を提供することを目的とする。
また、このような携帯無線機に好適な電池を安価に提供することを目的とする。
【課題を解決するための手段】
【０００９】
この発明に係る携帯無線機は、外部機器と近接させてデータ通信を行う送受信用アンテナコイルを有する携帯無線機であって、上記送受信用アンテナコイルと電気的に接続されてデータ通信を行う通信部と、上記通信部を内蔵する筐体と、上記筐体に取り付けられ、磁性体の特性を有する電池ケースと上記電池ケースに収納される発電要素からなる電池を備え、上記送受信用アンテナコイルが上記電池ケース上に載置されているものである。
【００１０】
また、この発明に係る電池は、外部機器と近接させてデータ通信を行う通信部を有する携帯無線機に取り付けられる電池であって、発電要素と、上記発電要素を収納し磁性体の特性を有する電池ケースと、上記電池ケース上に金属メッキにより形成された送受信用アンテナコイルを備え、当該電池が携帯無線機に取り付けられると、上記送受信用アンテナコイルが上記通信部に電気的に接続されるようにしたものである。
【発明の効果】
【００１１】
本発明による携帯無線機は、送受信用アンテナコイルを電池に近接配置しても、渦電流の発生に起因する送信性能の劣化を防止できると共に、薄型化・小型化された携帯無線機を安価に提供することができる。
【００１２】
また、本発明による電池は、携帯無線機の送受信用アンテナコイルを近接配置しても、渦電流の発生に起因する送信性能の劣化を防止できると共に、薄型化・小型化が図れる。
【発明を実施するための最良の形態】
【００１３】
実施の形態１．
以下、図面に基づいて、本発明の一実施の形態について説明する。
なお、各図間において、同一符号は、同一あるいは相当のものを表す。
図１は、実施の形態１による携帯無線機の要部（電池収納部）の構成を示す分解斜視図であり、携帯無線機本体１０、電池（例えば、二次電池）２０、非接触型ＩＣカード機能用の送受信用アンテナコイル基板３０、および送受信用アンテナコイル基板３０上に形成されている送受信用アンテナコイル３１の位置関係を示している。
なお、本実施の形態では、送受信用アンテナコイル基板３０と該送受信用アンテナコイル基板３０上に形成された送受信用アンテナコイル３１とにより非接触型ＩＣカード機能用（即ち、外部読取装置とデータ通信を行う際の機能制御用）の送受信用アンテナが構成されている。
送受信用アンテナは電池２０に近接配置され、送受信用アンテナ（即ち、送受信用アンテナコイル基板３０上に形成された送受信用アンテナコイル３１）を載置した電池２０は、携帯無線機本体１０に設けられた電池収納部１１に収納され、電池カバー１２により電池本体１０に装着される。
【００１４】
図２は、本実施の形態による携帯無線機が２つ折れタイプの場合の無線機の外観を示す斜視図であり、携帯無線機本体１０の下側筐体の外側に、電池２０を収納して電池カバー１２で保持する電池部１０ａが設けられている様子を示している。
また、図３は、電池パック（二次電池）２０の構成を示す分解斜視図である。
図３に示すように、電池２０は、発電要素（電池コア）２１と該発電要素（電池コア）２１を覆って収納する第一のケース２２ａおよび第二のケース２２ｂとからなる電池ケース２２で構成されている。
本実施の形態による携帯無線機に用いられる電池２０の電池ケース２２は、磁性体の特性を有した樹脂材で形成されていることを特徴とする。
例えば、電池ケース２２（即ち、第一のケース２２ａと第二のケース２２ｂで構成されるケース）を樹脂で成形する時に、樹脂材料に磁性体粉末を加えることにより、発電要素（電池コア）２１を収納する電池ケース２２に磁性体の性質を持たせることができる。
なお、添加する磁性体としては、比透磁率の実数成分（μ′）が大きいこと、比透磁率の虚数成分（μ″）が小さいこと、導電率が小さいことが要求される。
【００１５】
発電要素２１は、集電体アルミ箔からなる第一の薄板と集電体アルミ箔からなる第二の薄板を巻き重ねて形成された金属体である。
発電要素２１の端部には、携帯無線機本体１０に電力を供給するための電池端子２３ａ、２３ｂが設けられており、電池２０が携帯無線機本体１０に設けられた電池収納部１１に収納されると、電池端子２３ａ、２３ｂは、第二のケース２２ｂの底面に形成された電池端子用窓２４ａ、２４ｂを介して、携帯無線機本体１０の電池収納部１１に設けられた電池接続端子１３ａ、１３ｂに電気的に接続される。
【００１６】
また、図１に示すように、送受信用アンテナコイル基板３０上に形成されている送受信用アンテナコイル（送受信用アンテナコイルの導体部）３１の端部は、電池ケース２２の携帯無線機本体１０と対向する面の端部まで延在され、送受信用アンテナコイル端子３２ａ、３２ｂが形成されている。
そして、電池２０が携帯無線機本体１０の電池収納部１１に収納されると、電池ケース２２の携帯無線機本体１０と対向する面に形成された送受信用アンテナコイル端子３２ａ、３２ｂは、電池接続端子１３ａ、１３ｂと並んで電池収納部１１の第二のケース２２ｂと対向する面に形成された携帯無線機本体側の送受信用アンテナコイル接続端子１４ａ、１４ｂに接続され、携帯無線機本体１０に設けられたＣＰＵ７やメモリなどで構成されている制御回路部１５と送受信用アンテナコイル３１間のデータの送受信が可能となる。
【００１７】
以上説明したように、本実施の形態による携帯無線機は、外部読取装置等の外部機器（図示せず）と近接させてデータ通信を行う送受信用アンテナコイル３１を有する携帯無線機であって、送受信用アンテナコイル３１と電気的に接続されてデータ通信を行う通信部（図示せず）と、この通信部を内蔵する筐体と、この筐体に取り付けられ磁性体の特性を有する電池ケース２２と電池ケース２２に収納される発電要素２１からなる電池２０を備え、上記送受信用アンテナコイル３１が電池ケース２２の上に載置されている。
これにより、送受信用アンテナコイル３１を電池２０に近接配置しても渦電流の発生に起因する送信性能の劣化を防止できると共に、薄型化・小型化された携帯無線機を安価に提供することができる。
【００１８】
実施の形態２．
前述の実施の形態１では、送受信用アンテナコイル３１は送受信用アンテナコイル基板３０上に形成していたが、発電要素２１を収納する電池ケース２２の表面に金属メッキを施すことにより、送受信用アンテナコイルを形成してもよい。
これにより、送受信用アンテナコイル３１は電池ケース２２と一体的に形成されるので、従来のような別部品としての送受信用アンテナコイルが不要となり、部品点数の削減による低コスト化が図れると共に、プリント基板（即ち、送受信用アンテナコイル基板３０）を用いる必要がないので、さらに薄型化が図れる。
【産業上の利用可能性】
【００１９】
本発明は、外部機器とのデータ通信を行うための送受信用アンテナを有する携帯無線機の送信性能の劣化防止および薄型化に有用である。
【図面の簡単な説明】
【００２０】
【図１】実施の形態１による携帯無線機の要部の構成を示す分解斜視図である。
【図２】２つ折れタイプの携帯無線機の外観を示す斜視図である。
【図３】電池の構成を示す分解斜視図である。
【符号の説明】
【００２１】
１０  携帯無線機本体
１１  電池収納部
１２  電池カバー
１３ａ、１３ｂ  電池接続端子
１４ａ、１４ｂ  送受信用アンテナコイル接続端子
１５  制御回路部
２０  電池（二次電池）
２１  発電要素（電池コア）
２２  電池ケース            ２２ａ  第一のケース    ２２ｂ  第二のケース
２３ａ、２３ｂ  電池端子                    ２４ａ、２４ｂ  電池端子用窓
３０  送受信用アンテナコイル基板
３１  送受信用アンテナコイル
【図１】
2005130211.tif 000003
【図２】
2005130211.tif 000004
【図３】
2005130211.tif 000005